(57)【要約】      （修正有）【課題】視覚での装飾性以外の新たな付加価値を加えた装飾置物を提供する。【解決手段】本考案に係る装飾置物は、透明な容器１と、容器内の底側に配置されるディフューザー液２からなる第１層と、第１層の上側に配置されるディフューザー液より比重の小さいミネラルオイル３からなる第２層と、一方の端部がディフューザー液に達し、他方の端部が容器の上方外側に配置されるリード６と、容器内のディフューザー液及びミネラルオイルに浸漬された飾り物４と、を備えていることを特徴とする。【選択図】図１
0003219538.tif 000002
【実用新案登録請求の範囲】
【請求項１】
透明な容器と、前記容器内の底側に配置されるディフューザー液からなる第１層と、前記第１層の上側に配置される前記ディフューザー液より比重の小さいオイルからなる第２層と、前記一方の端部が前記ディフューザー液に達し、他方の端部が前記容器の上方外側に配置されるリードと、前記容器内の前記ディフューザー液及び前記オイルに浸漬された飾り物と、を備えていることを特徴とする装飾置物。
【請求項２】
前記第１層は、精油と無水エタノールを主に含む混合物で構成され、前記第２層は透明なミネラルオイルで構成されていることを特徴とする請求項１に記載の装飾置物。
【考案の詳細な説明】
【技術分野】
【０００１】    本考案は、ガラス瓶の内部に草花や草木がオイルと共に封入された観賞用の装飾置物に関する。
【背景技術】
【０００２】    観賞用に適した生花や葉等の花は草木を特殊液に浸して水分を抜いて保存性を高めたプリザーブドフラワーが知られている。さらに、このようなプリザーブドフラワーは、ガラス瓶の内部に透明なオイル（例えばシリコンオイル）と共に封入して、装飾性及び保存性を高める装飾置物が知られており、ハーバリウム等と称されている。
【先行技術文献】
【特許文献】
【０００３】
【特許文献１】実用新案登録第３２１５４６８号公報
【考案の概要】
【考案が解決しようとする課題】
【０００４】  しかしながら、このような装飾置物は、封入される花、草木の種類、容器の形状に依存し、装飾性の点では、新たな付加価値を加える余地が少ない。
本考案は、視覚での装飾性以外の新たな付加価値を加えた装飾置物を提供することを目的とする。
【課題を解決するための手段】
【０００５】  本考案に係る装飾置物は、透明な容器と、容器内の底側に配置されるディフューザー液からなる第１層と、第１層の上側に配置されるディフューザー液より比重の小さいオイルからなる第２層と、一方の端部がディフューザー液に達し、他方の端部が前記容器の上方外側に配置されるリードと、容器内のディフューザー液及びオイルに浸漬された飾り物と、を備えていることを特徴とする。
【考案の効果】
【０００６】  本考案によれば、ディフューザー液層と、それより比重の小さいオイル層の組み合わせとすることにより、比重の違いにより、両者が混ざり合わずに、容器の底側にディフューザー液層、その上側にミネラルオイル層というように、分離して配置される。また、揮発性の芳香を放つディフューザー液層が、容器の下層に分離された状態で配置されるため、リードを通じて、所定量の芳香が持続的に発散される。
【図面の簡単な説明】
【０００７】
【図１】本考案の一実施形態の装飾置物の正面図である。
【考案を実施するための形態】
【０００８】    本考案の一実施形態に係る装飾置物について、図面を参照して説明する。
図１に示すように、装飾置物は、ガラス製の容器１にディフューザー液２とミネラルオイル３と共にそれらに浸漬された飾り物４を入れた置物である。
容器１は、おおむね筒状のものであり、無色・透明又は有色・透明のガラス製で構成されている。
容器１の内部には、植物体から抽出した芳香性を有する精油と無水エタノールを含む混合物であるディフューザー液２と、ミネラルオイル３が充填されており、比重の違いにより、容器１の底側にディフューザー液２が、またその上方にミネラルオイル３が、分離されて充填されている。ディフューザー液３は、所望の色で着色してもよい。
飾り物４は、例えば、花や果物が用いられる。花の場合には、ドライフラワーやプリザーブドフラワーとなったものが用いられる。果物の場合も、ドライタイプやプリザーブドタイプのものが用いられる。
容器１は、蓋５により、密閉される。リード６は、蓋５を貫通して容器１内に一部が配置され、リード６の一方の端部はディフューザー液２内に浸漬され、他方の端部が容器１の上方外側に配置される。ディフューザー液２は、リード６により吸い上げられ、リード６の容器１の外部に出た部分から気化し、芳香を発散する。リード６は、竹、籐、葦などからなるスティック状の部材である。
【０００９】  表１は、ディフューザー液２に用いられる精油、無水エタノール、精製水、グリセリン及びその比重、さらに、流動パラフィン（ミネラルオイル）、シリコンオイルの比重を示す。
ディフューザー液２は、表１に示される精油、無水エタノールに加えて、精製水、グリセリンを適宜選択して混合し、比重が調整され、例えば、表２に示されるように作製される。  精油自体の比重が０．９３以下の場合は、表２のディフューザー液ｄを用いるのが好ましい。  尚、グリセリンを１０％程度混合することにより、ディフューザー液２の比重を０．３程度上げることが可能である。
【００１０】  次に、図１のディフューザー液とミネラルオイルの２層構成の装飾置物の作製について説明する。
例えば表２のディフューザー液ｄ（比重０．８９）を、容器１に入れる。ディフューザー液より比重の小さいミネラルオイル（比重０．８０）を少量入れ、ディフューザー液ｄの上に、ミネラルオイルの薄い層をつくる。ドライフラワーやプリザーブドフラワーを適宜配置しつつ、ミネラルオイルを少しずつ加えて、ミネラルオイルに浸漬された状態にする。最後に、コルク栓などの蓋を介してリードを差し込んで、出来上がる。
ディフューザー液ｄにおいて、無水エタノールを所定の色に着色された無水エタノールカラー液に代えて用いてもよい。
上記のディフューザー液層（第１層）とミネラルオイル層（第２層）の２層構成であるが、ミネラルオイル層の上側に、ミネラルオイル（比重０．８０）よりも比重の小さいディフューザー液（例えば、ディフューザ液ａ：比重０．７４）層（第３層）を追加し、３層構成としてもよい。
【００１１】
【表１】
0003219538.tif 000003
【００１２】
【表２】
0003219538.tif 000004
【符号の説明】
【００１３】１    容器
２    ディフューザー液
３    ミネラルオイル
４    飾り物
５    蓋
６    リード
【図１】
0003219538.tif 000005
【手続補正書】
【提出日】平成30年10月12日(2018.10.12)
【手続補正１】
【補正対象書類名】実用新案登録請求の範囲
【補正対象項目名】全文
【補正方法】変更
【補正の内容】
【実用新案登録請求の範囲】
【請求項１】
透明な容器と、前記容器内の底側に配置されるディフューザー液からなる第１層と、前記第１層の上側に配置される前記ディフューザー液より比重の小さいオイルからなる第２層と、一方の端部が前記ディフューザー液に達し、他方の端部が前記容器の上方外側に配置されるリードと、前記容器内の前記ディフューザー液及び前記オイルに浸漬された飾り物と、を備えていることを特徴とする装飾置物。
【請求項２】
前記第１層は、精油と無水エタノールを主に含む混合物で構成され、前記第２層は透明なミネラルオイルで構成されていることを特徴とする請求項１に記載の装飾置物。